(57)【要約】【課題】３結束単位で積載したトレーラから１結束単位での荷降ろしを行なう際における、危険なバール割り作業を不要とした結束丸棒の分割支持具を提供する。【解決手段】横長の台座１の中央部に、中央の結束丸棒の下面を支持する左右一対の山形突起５をスライド自在に設ける。各山形突起５の外側斜面１０と台座１の端部１１との間に、左右の結束丸棒を支持する可撓性支持板１２を設けた。山形突起５と可撓性支持板１２は樹脂製等とした。３結束された結束丸棒をその上に吊り降ろすだけで、１結束単位に分割することができる。【選択図】図１
2014094774.tif 000002
【特許請求の範囲】
【請求項１】
横長の台座の中央部に、中央の結束丸棒の下面を支持する左右一対の山形突起をスライド自在に設けるとともに、各山形突起の外側斜面と台座の端部との間に、左右の結束丸棒を支持する可撓性支持板を設けたことを特徴とする結束丸棒の分割支持具。
【請求項２】
台座の中央部に固定座が形成され、その左右両側に配置されたスライダの上部に、それぞれ山形突起を設けたことを特徴とする請求項１記載の結束丸棒の分割支持具。
【請求項３】
前記スライダは、スプリングにより前記固定座の方向に引き寄せられていることを特徴とする請求項２記載の結束丸棒の分割支持具。
【請求項４】
前記山形突起及び前記可撓性支持板は、樹脂製等であることを特徴とする請求項１記載の結束丸棒の分割支持具。
【発明の詳細な説明】
【技術分野】
【０００１】
本発明は、結束された丸棒（結束丸棒という）の流通過程において使用される結束丸棒の分割支持具に関するものである。
【背景技術】
【０００２】
製鉄所・製鋼所などで生産される丸棒鋼材（丸棒という）は、直径２０ｍｍから２００ｍｍ程度、長さが５ｍから１０ｍ程度のものを数本から数十本毎に、重量が２トン程度となるように結束した状態で、最終顧客まで流通している。結束された状態の束径はほぼ円形に近い２２０ｍｍから３５０ｍｍ程度まで様々である。（特許文献１）
【０００３】
このような結束丸棒は流通業者の倉庫からトレーラ等の車両に積載して顧客へ運送されるのであるが、クレーンの能力や作業効率の観点から、３結束単位で扱われるのが一般的である。このためトレーラ等への積載も、３結束単位で行われることがほとんどである。しかし顧客に到着後の荷降ろし場所では、顧客のクレーン能力や受け入れ形態によって、１結束単位での荷降ろしを要求されることが多い。
【０００４】
このためには、３結束の状態の結束丸棒の間に、クレーンで吊り上げるためのワイヤを通す必要がある。そこで従来はトレーラの荷台上でバールを結束間に差し込み、ワイヤを通せるだけの隙間を形成する作業（バール割り作業）が必要とされていた。ところがこのバール割り作業は車上で行われ、しかも足元が不安定な状況での作業となるため、バールの先端が外れたときに作業者がバランスを失い、足首を捻挫したり、トレーラの荷台から落下するなどの危険性があった。
【先行技術文献】
【特許文献】
【０００５】
【特許文献１】特開２００３−２０００９号公報
【発明の概要】
【発明が解決しようとする課題】
【０００６】
従って本発明の目的は上記した従来の問題点を解決し、結束丸棒を３結束単位で積載したトレーラから１結束単位での荷降ろしを行なう際における、危険なバール割り作業を不要とした結束丸棒の分割支持具を提供することである。
【課題を解決するための手段】
【０００７】
上記の課題を解決するためになされた本発明の結束丸棒の分割支持具は、横長の台座の中央部に、中央の結束丸棒の下面を支持する左右一対の山形突起をスライド自在に設けるとともに、各山形突起の外側斜面と台座の端部との間に、左右の結束丸棒を支持する可撓性支持板を設けたことを特徴とするものである。
【０００８】
なお請求項２のように、台座の中央部に固定座が形成され、その左右両側に配置されたスライダの上部に、それぞれ山形突起を設けた構造とすることが好ましい。また請求項３のように、前記スライダは、スプリングにより前記固定座の方向に引き寄せられている構造とすることが好ましい。さらに請求項４のように、前記山形突起及び前記可撓性支持板は、丸棒製品を疵付けない樹脂製等の材料であることが好ましい。
【発明の効果】
【０００９】
本発明の結束丸棒の分割支持具は、台座の中央部に中央の結束丸棒の下面を支持する左右一対の山形突起をスライド自在に設けるとともに、各山形突起の外側斜面と台座の端部との間に、左右の結束丸棒を支持する可撓性支持板を設けたものであるから、３結束された結束丸棒をその上にクレーンで吊り下ろせば自然に１結束毎に分割される。このため危険なバール割り作業を行なうことなく、１結束毎にワイヤを容易に通すことができる。しかも束径が異なる場合にも、左右一対の山形突起はスライドしてその間隔を変えるため、３結束された結束丸棒を束径にかかわらず３分割することができる。
【００１０】
なお請求項２のように、台座の中央部に固定座が形成され、その左右両側にスライダを配置された構造とすれば、中央の結束丸棒を台座の中心に確実に支持することができる。
【００１１】
また請求項３のように、スライダをスプリングにより固定座の方向に引き寄せる構造としておけば、束径の小さいときには左右一対の山形突起は中央に移動し、束径の大きいときには自然に外側に移動するので、位置の調節作業は不要である。
【００１２】
さらに請求項４のように山形突起及び可撓性支持板を樹脂製等としておけば、結束丸棒を疵付けることがない。
【図面の簡単な説明】
【００１３】
【図１】本発明の実施形態を示す正面図である。
【図２】本発明の実施形態を示す平面図である。
【図３】束径が大きい場合の正面図である。
【図４】トレーラへの積載状態を示す断面図である。
【発明を実施するための形態】
【００１４】
以下に本発明の実施形態を説明する。
図１及び図２において、１は横長の台座である。この台座１は金属製であり、その長さはトレーラの荷台幅の半分よりもやや短い１ｍ程度が好ましく、その幅は任意であるが図示の実施形態では１０ｃｍ程度である。台座１の中央部上面には、四角形の固定座２が設けられている。
【００１５】
この固定座２の左右両側には、台座１をまたがるように左右一対のスライダ３が設けられている。スライダ３は台座１上を数ｃｍ程度スライドすることができる。これらのスライダ３と固定座２との間にはスプリング４が取付けられており、両側のスライダ３を常に固定座２の方向に引き寄せている。
【００１６】
スライダ３の幅方向の両側には垂直な平板３ａが固定され、これらの平板３ａに山形突起５がボルト６、７によって取り付けられている。山形突起５は樹脂製等のブロックであり、固定座２に面する側は２０度〜３０度程度の斜面８となっている。またその上端部は円弧面９となっている。山形突起５を樹脂製等としたため、その上に置かれる結束丸棒の表面が疵付くことがない。
【００１７】
図１に示すように、スプリング４の引張力によってスライダ３とともに山形突起５は中心側に引き寄せられ、常時はその先端は固定座２に当接している。山形突起５の高さは、例えば１０ｃｍ程度である。これらの左右の山形突起５と固定座２とによって、３結束された結束丸棒のうち中央の結束丸棒が支持される。
【００１８】
山形突起５の外側斜面１０と台座１の端部１１との間には、左右の結束丸棒を支持するための可撓性支持板１２が設けられている。この可撓性支持板１２も樹脂製等であり、略平板状であるため変形することができ、スライダ３とともに山形突起５がスライドすることを許容できる構造となっている。可撓性支持板１２の内側端は山形突起５の外側斜面１０に添って湾曲しており、外側端は下向きに屈曲されて台座１の端部１１にボルト１３により固定されている。なお１４は可撓性支持板１２の外側端を持ち上げるために台座１の端部に溶接されたアングルである。また１７は、台座１の端部付近に下向きに設けられたガイドである。これらのガイド１７は、台座１を後記する木製枕１６の上に置くときに木製枕１６の端面に当て、置き位置を容易に決定できるようにするためものである。
【００１９】
このように構成された本発明の結束丸棒の分割支持具は、３結束された結束丸棒をその中心部にクレーンで吊り下ろせば、中央の結束丸棒が左右の山形突起５と固定座２とによって支持されるとともに、左右の結束丸棒は山形突起５によって自然に分割され、山形突起５の外側斜面１０と台座１の端部１１との間に設けられた可撓性支持板１２の上に乗る。このように単に３結束された結束丸棒を吊り降ろすだけで３分割することが可能となり、その間から１結束毎にワイヤを通す作業をきわめて容易に行うことができる。可撓性支持板１２の両端は持ち上げられているため、左右の結束丸棒も安定支持される。
【００２０】
なお前記したように、結束丸棒の束径は２２０ｍｍから３５０ｍｍ程度まで様々であるが、束径が大きくなった場合には図３に示すように、中央の結束丸棒の自重によって左右の山形突起５は外側に押し広げられる。このため束径の大小にかかわらず、３結束された結束丸棒を３分割することができる。
【００２１】
本発明の結束丸棒の分割支持具は、例えば図４に示すようにトレーラの荷台１５の上に設置されて使用される。トレーラの荷台１５には、幅方向に６結束、さらにその上に木製枕１６を置き、更に６結束というように２〜３段に段積みされるのが普通である。このため図４のように、木製枕１６の上にも本発明の分割支持具を置いて使用される。なお長さ方向については、ほぼ均等に荷重を受けるように２か所に木製枕１６を通すこととなっているので、その上に本発明の分割支持具を置けばよい。
【００２２】
以上に説明したように、本発明の結束丸棒の分割支持具を用いれば、３結束された結束丸棒をその上に吊り降ろすだけで自然に１結束毎に分割することができる。このため３結束単位で積載したトレーラから１結束単位での荷降ろしを行なう際に、危険なバール割り作業を行なうことなく、１結束毎にワイヤを容易に通すことが可能となる。よって作業員の安全性を確保するとともに、作業工数を削減して荷降ろし作業の大幅な効率化を図ることができる利点がある。
【符号の説明】
【００２３】
１  台座
２  固定座
３  スライダ
３ａ  平板
４  スプリング
５  山形突起
６  ボルト
７  ボルト
８  斜面
９  円弧面
１０  外側斜面
１１  端部
１２  可撓性支持板
１３  ボルト
１４  アングル
１５  荷台
１６  木製枕
１７  ガイド
【図１】
2014094774.tif 000003
【図２】
2014094774.tif 000004
【図３】
2014094774.tif 000005
【図４】
2014094774.tif 000006